(57)【要約】【課題】  電圧値の制御信号、または電流値の制御信号を出力する復調器のそれぞれに対し簡便に対応できるＡＧＣ回路およびそれを用いた高周波受信装置を実現する。【解決手段】  電圧制御−可変利得型増幅器４、１４、１５を設ける。電圧制御−可変利得型増幅器４、１４、１５のゲインを制御するための制御信号を入力する外部端子である増幅器制御端子１６を設ける。増幅器制御端子１６に接続され、電流値による制御信号を電圧値による制御信号に変換するための電流電圧変換器３５を設ける。増幅器制御端子１６に接続され、電流電圧変換器３５を迂回する迂回路４４を設ける。増幅器制御端子１６から電流電圧変換器３５を通る第一経路、および増幅器制御端子１６から迂回路４４を通る第二経路を互いに切り替えるスイッチＡ３６を設ける。【選択図】  図１
2006060389.tif 000002
【特許請求の範囲】
【請求項１】
電圧制御−可変利得型増幅器と、
上記電圧制御−可変利得型増幅器のゲインを制御するための制御信号を入力する外部端子と、
上記外部端子に接続され、電流値による制御信号を電圧値による制御信号に変換するための電流電圧変換器と、
上記外部端子に接続され、上記電流電圧変換器を迂回する迂回路と、
上記外部端子から電流電圧変換器を通る第一経路、および上記外部端子から迂回路を通る第二経路を互いに切り換えるスイッチＡとを有することを特徴とするＡＧＣ回路。
【請求項２】
請求項１のＡＧＣ回路において、
外部端子から電圧値による制御信号が印加される場合、上記電流電圧変換器が停止し、
外部端子から電流値による制御信号が注入される場合、上記電流電圧変換器が動作することを特徴とするＡＧＣ回路。
【請求項３】
請求項２のＡＧＣ回路において、
さらに、スイッチＢを有し、
外部端子から電圧値による制御信号が印加される場合、上記スイッチＢにより、上記電流電圧変換器への制御信号を遮断し、
外部端子から電流値による制御信号が注入される場合、上記スイッチＢにより、上記電流電圧変換器に制御信号を接続することを特徴とするＡＧＣ回路。
【請求項４】
請求項１ないし３の何れか１項に記載のＡＧＣ回路において、
内部レジスタを有し、
内部レジスタの値により、上記スイッチＡの設定を変更することを特徴とするＡＧＣ回路。
【請求項５】
請求項３記載のＡＧＣ回路において、
内部レジスタを有し、
内部レジスタの値により、上記スイッチＢの設定を変更することを特徴とするＡＧＣ回路。
【請求項６】
電圧制御−可変利得型増幅器と、
上記電圧制御−可変利得型増幅器のゲインを制御するための制御信号を入力する外部端子と、
上記外部端子に接続され、電流値による制御信号を電圧値による制御信号に変換するための電流電圧変換器と、
上記外部端子に接続され、上記電流電圧変換器を迂回する迂回路と、
上記外部端子から電流電圧変換器を通る第一経路、および上記外部端子から迂回路を通る第二経路を互いに切り換えるためのトリミング部位とを有することを特徴とするＡＧＣ回路。
【請求項７】
電流制御−可変利得型増幅器と、
上記電流制御−可変利得型増幅器のゲインを制御するための制御信号を入力する外部端子と、
上記外部端子に接続され、電圧値による制御信号を電流値による制御信号に変換するための電圧電流変換器と、
上記外部端子に接続され、上記電圧電流変換器を迂回する迂回路と、
上記外部端子から電圧電流変換器を通る第一経路、および上記外部端子から迂回路を通る第二経路を互いに切り換えるスイッチＣとを有することを特徴とするＡＧＣ回路。
【請求項８】
請求項７のＡＧＣ回路において、
外部端子から電流値による制御信号が注入される場合、上記電圧電流変換器が停止し、
外部端子から電圧値による制御信号が印加される場合、上記電圧電流変換器が動作することを特徴とするＡＧＣ回路。
【請求項９】
請求項８のＡＧＣ回路において、
スイッチＤを有し、
外部端子から電流値による制御信号が注入される場合、上記スイッチＤにより、上記電圧電流変換器への電源を遮断し、
外部端子から電圧値による制御信号が印加される場合、上記スイッチＤにより、上記電圧電流変換器に電源を接続することを特徴とするＡＧＣ回路。
【請求項１０】
請求項７ないし９の何れか１項に記載のＡＧＣ回路において、
内部レジスタを有し、
内部レジスタの値により、上記スイッチＣの設定を変更することを特徴とするＡＧＣ回路。
【請求項１１】
請求項９記載のＡＧＣ回路において、
内部レジスタを有し、
内部レジスタの値により、上記スイッチＤの設定を変更することを特徴とするＡＧＣ回路。
【請求項１２】
電流制御−可変利得型増幅器と、
上記電流制御−可変利得型増幅器のゲインを制御するための制御信号を入力する外部端子と、
上記外部端子に接続され、電圧値による制御信号を電流値による制御信号に変換するための電圧電流変換器と、
上記外部端子に接続され、上記電圧電流変換器を迂回する迂回路と、
上記外部端子から電圧電流変換器を通る第一経路、および上記外部端子から迂回路を通る第二経路を互いに切り換えるためのトリミング部位とを有することを特徴とするＡＧＣ回路。
【請求項１３】
請求項１ないし１２の何れか１項に記載のＡＧＣ回路を備えることを特徴とした高周波受信装置。
【発明の詳細な説明】
【技術分野】
【０００１】
本発明は、デジタルテレビジョン放送等からの高周波変調信号を受信して処理する受信装置に含まれる増幅器ゲイン制御（ＡＧＣ）回路およびそれを用いた高周波受信装置に関するものである。
【背景技術】
【０００２】
携帯電話などの小型通信機における高周波用の受信装置は、デジタル変調された信号を受信して処理し、処理信号を出力するものである。上記高周波受信装置は、図８に示すように、大きく分けて、高周波信号をベースバンド等の低い周波数に変換するＲＦ部１と、低い周波数となったデジタル変調波を、位相再生・タイミング再生等にて復調を行う復調部２とにより構成されている。
【０００３】
図８の受信装置のＲＦ部１は、ＲＦ入力端子３、可変利得型増幅器４・１４・１５、ミキサ回路５・６、９０°移相器７、電圧制御型局部発振器（ＶＣＯ）８、ＰＬＬ回路９、局部発振器１０、ＶＣＯ制御端子１１、ローパスフィルタ（ＬＰＦ）１２・１３、増幅器制御端子１６を備えている。ＲＦ入力端子３は、放送局から送信される高周波信号が入力される端子である。
【０００４】
可変利得型増幅器４は、ＲＦ入力端子３から入力された高周波信号を増幅する。ＶＣＯ８は、高周波信号をベースバンド信号に周波数変換するため、制御電圧で周波数を制御したローカル信号を出力する。局部発振器１０は、前記ローカル信号の基準となる発振器である。
【０００５】
ＰＬＬ回路９は、前記局部発振器１０を基準とし、前記ローカル信号が設定周期に応じた値に収束するようにフィードバック制御する。このフィードバック信号は、ＶＣＯ制御端子１１から入力される。
【０００６】
９０°移相器７は、ＶＣＯ８の信号の位相を９０°ずらした９０°移相信号を生成し、位相をずらさない０°の信号とともに出力する。ミキサ回路５・６でＩとＱとの直交ベースバンド信号を検波するために高周波信号の周波数変換を行う。
【０００７】
ミキサ回路５は９０°移相器７から出力される０°の信号を用いて、高周波信号をＩのベースバンド信号に復調する。ミキサ回路６は９０°移相器７から出力される９０°移相信号を用いて、高周波信号をＱのベースバンド信号に復調する。この２つのミキサ回路により、受信した高周波信号は直交ベースバンド信号に復調される。
【０００８】
ＬＰＦ１２・１３は、ミキサ回路５・６の出力から、希望帯域以外の周波数成分を遮断する。可変利得型増幅器１４・１５は、ＬＰＦ１２・１３の出力を増幅する。なお、可変利得型増幅器４・１４・１５は、増幅器制御端子（外部端子）１６から入力される制御信号により、増幅率が制御される。
【０００９】
図８の受信装置の復調部２は、アナログ−デジタル変換器(ＡＤＣ)１７・１８、電圧制御型局部発振器（ＶＣＯ）１９、ＶＣＯ制御端子２０、レベル検出器２１、ループフィルタ２２・３０・３３、デジタル−アナログ変換器（ＤＡＣ）２３・３４、複素演算器２４、ＦＩＲフィルタ２５・２６、Ｉ出力端子２７、Ｑ出力端子２８、位相・周波数検出器２９、数値制御発振器(ＮＣＯ)３１、タイミング検出器３２を備えている。
【００１０】
ＲＦ部１で周波数変換されたベースバンド信号は、ＡＤＣ１７・１８にて、ＶＣＯ１９の発振周波数でサンプリングされ、デジタル変換される。ベースバンド信号は、これ以降デジタル信号で処理される。
【００１１】
ＡＤＣ１７・１８の出力は、複素演算器２４によってＮＣＯ３１から出力されるcosΔθ・sinΔθと複素乗算される。複素乗算された信号は、ＦＩＲフィルタ２５・２６により、希望帯域以外の周波数成分を遮断され、Ｉ出力端子２７、Ｑ出力端子２８から出力される。また、復調部２では、伝送路で生じた位相・周波数誤差、タイミング誤差、レベル誤差の補正を行う。
【００１２】
位相・周波数誤差については、ＦＩＲフィルタ２５・２６の出力を用い、位相・周波数検出器２９で位相・周波数誤差が検出される。その検出結果がループフィルタ３０で平衡化され、ＮＣＯ３１のΔθを調整する。その結果、位相・周波数誤差が取り除かれる。
【００１３】
タイミング誤差については、ＦＩＲフィルタ２５・２６の出力を用い、タイミング検出器３２でタイミング誤差が検出され、ループフィルタ３３で平衡化される。平衡化された結果は、ＤＡＣ３４でアナログ信号に変換され、ＶＣＯ制御端子２０から出力される。この出力信号により、ＶＣＯ１９の発振周波数を制御する。その結果、タイミング誤差が取り除かれる。
【００１４】
レベル誤差については、ＡＤＣ１７・１８の出力を用い、レベル検出器２１でレベル誤差が検出され、ループフィルタ２２で平衡化される。平衡化された結果は、ＤＡＣ２３でアナログ信号に変換される。変換された信号は、ＲＦ部１の増幅器制御端子１６から入力され、ＲＦ部１内の可変利得型増幅器４・１４・１５を制御する。これにより、レベル誤差が取り除かれる。
【００１５】
また、特許文献１には、ＶＣＡ回路に入力される信号レベルに応じた回路電流を流すように制御する手段として、入力信号レベルを検波するレベル検波回路と、その検波出力によって制御される複数の各可変電流源とが開示されている。上記特許文献１においては、ＡＧＣ回路を構成する双差動形ＶＣＡ回路において、トランジスタのパラ数、サイズの増加が周波数特性を落とす問題を、入力信号レベルに応じて回路電流を制御することにより解消できるＡＧＣ回路が提供される。
【特許文献１】特開平１０−２５６８５６号公報（１９９８年９月２５日）
【発明の開示】
【発明が解決しようとする課題】
【００１６】
上記で説明したように、受信装置が行う誤差補正の一つとして、レベル誤差補正がある。これは、復調部２でレベルを検出し、その結果をＲＦ部１内にある可変利得型増幅器４などにフィードバックすることで行われる。
【００１７】
しかしながら、復調部２によっては、フィードバック信号が電圧であったり、電流であったりと異なるため、ＲＦ部１ではベースバンドの種類によって可変利得型増幅器を変える必要があったり、回路方式の異なる可変利得型増幅器を複数備える必要があったり、複数の各可変電流源を備える必要があったりするという問題点を従来の受信装置では有している。
【００１８】
復調部２により、可変利得増幅器や可変電流源を変えることは好ましくなく、特に、ＩＣ化されている場合には、製造工程上のウェハ段階での設計を変える必要があり、設計期間・コストに大きく影響を与える。また、異なる回路方式を複数備えることも、コストが悪くなるという不都合を生じている。
【００１９】
本発明の目的は、上述する問題点や不都合を解決できるＡＧＣ回路およびそれを用いた受信装置を提供することである。
【課題を解決するための手段】
【００２０】
上記課題を解決するため、本発明のＡＧＣ回路Ａは、電圧制御−可変利得型増幅器と、上記電圧制御−可変利得型増幅器のゲインを制御するための制御信号を入力する外部端子と、上記外部端子に接続され、電流値による制御信号を電圧値による制御信号に変換するための電流電圧変換器と、上記外部端子に接続され、上記電流電圧変換器を迂回する迂回路と、上記外部端子から電流電圧変換器を通る第一経路、および上記外部端子から迂回路を通る第二経路を互いに切り換えるスイッチＡとを有することを特徴としている。
【００２１】
上記構成によれば、外部端子から電圧値による制御信号が印加される場合、上記スイッチＡにより第二経路を用いることで、迂回路により電流電圧変換器をパスして、外部端子から印加される電圧値による制御信号にて上記電圧制御−可変利得型増幅器を直接制御できる。
【００２２】
一方、外部端子から電流値による制御信号が注入される場合、上記スイッチＡにより第一経路を用いることで、電流電圧変換器を介し変換された電圧値の制御信号にて上記電圧制御−可変利得型増幅器が制御される。
【００２３】
これらにより、上記構成は、スイッチＡと迂回路とを設けたことで、復調部の変更により、ＡＧＣ回路を変える必要を省くことが可能となり、上記構成を有する受信装置などの高周波回路の設計期間・コストへの大きな悪影響を軽減できる。
【００２４】
上記ＡＧＣ回路では、外部端子から電圧値の制御信号が印加される場合、上記電流電圧変換器が停止し、外部端子から電流値の制御信号が注入される場合、上記電流電圧変換器が動作するように設定してもよい。
【００２５】
上記構成によれば、電流電圧変換器が不要な場合に、電流電圧変換器を停止できるから、余計な電力を省くことができて、省電力化が可能となる。
【００２６】
上記ＡＧＣ回路においては、さらに、スイッチＢを有し、外部端子から電圧値の制御信号が印加される場合、上記スイッチＢにより、上記電流電圧変換器への制御信号を遮断し、外部端子から電流値の制御信号が注入される場合、上記スイッチＢにより、上記電流電圧変換器に制御信号を接続するようにしてもよい。
【００２７】
上記構成によれば、不必要な時に電流電圧変換器への電流の流入を止めることができるので、省電力化が可能となる。
【００２８】
上記ＡＧＣ回路では、さらに、内部レジスタを有し、内部レジスタの値により、上記スイッチＡ、およびスイッチＢの少なくとも一方の設定を変更できることを特徴としてもよい。これにより、スイッチ用の外部からの制御信号を入力するための端子を用意する必要が無くなる。
【００２９】
本発明の他のＡＧＣ回路は、前記の課題を解決するために、電圧制御−可変利得型増幅器と、上記電圧制御−可変利得型増幅器のゲインを制御するための制御信号を入力する外部端子と、上記外部端子に接続され、電流値による制御信号を電圧値による制御信号に変換するための電流電圧変換器と、上記外部端子に接続され、上記電流電圧変換器を迂回する迂回路と、上記外部端子から電流電圧変換器を通る第一経路と、上記外部端子から迂回路を通る第二経路とを互いに切り換えるためのトリミング部位とを有していることを特徴としている。
【００３０】
上記構成によれば、外部端子から電圧値の制御信号が印加される場合に、トリミング部位にて電流電圧変換器を切り離すことが可能となる一方、外部端子から電流値の制御信号が注入される場合に、トリミング部位にて電流電圧変換器を接続して、電流値の制御信号から変換された電圧値の制御信号により電圧制御−可変利得型増幅器のゲインを制御することができる。
【００３１】
これにより、上記構成では、ＡＧＣ回路の製作時において、電圧値または電流値の制御信号を用いる回路方式を選択することができる。
【００３２】
本発明のさらに他のＡＧＣ回路は、前記の課題を解決するために、電流制御−可変利得型増幅器と、上記電流制御−可変利得型増幅器のゲインを制御するための制御信号を入力する外部端子と、上記外部端子に接続され、電圧値による制御信号を電流値による制御信号に変換するための電圧電流変換器と、上記外部端子に接続され、上記電圧電流変換器を迂回する迂回路と、上記外部端子から電圧電流変換器を通る第一経路、および上記外部端子から迂回路を通る第二経路を互いに切り換えるスイッチＣとを有していることを特徴としている。
【００３３】
上記構成によれば、外部端子から電流値による制御信号が注入される場合、上記スイッチＣにより、電圧電流変換器をパスして、外部端子から注入される電流値の制御信号にて上記電流制御−可変利得型増幅器のゲインが直接制御される。
【００３４】
一方、外部端子から電圧値による制御信号が印加される場合、上記スイッチＣにより、電圧電流変換器を介して、変換された電流値による制御信号にて上記電流制御−可変利得型増幅器が制御される。
【００３５】
これらにより、上記構成は、スイッチＣと迂回路とを設けたことで、復調部の変更により、ＡＧＣ回路を変える必要を省くことが可能となり、上記構成を有する受信装置などの高周波回路の設計期間・コストへの大きな悪影響を軽減できる。
【００３６】
また、上記ＡＧＣ回路においては、外部端子から電流が注入される場合、上記電圧電流変換器が停止し、外部端子から電圧が印加される場合、上記電圧電流変換器が動作するように設定してよい。
【００３７】
これにより、電圧電流変換器が不要な場合に、電圧電流変換器を停止できるから、余計な電力を省くことができる。
【００３８】
また、上記ＡＧＣ回路では、さらに、スイッチＤを有し、外部端子から電流が注入される場合、上記スイッチＤにより、上記電圧電流変換器への電源を遮断し、外部端子から電圧が印加される場合、上記スイッチＤにより、上記電圧電流変換器に電源を接続するようにしてもよい。これにより、不必要な時に電圧電流変換器を止めることができて、省電力化できる。
【００３９】
また、上記ＡＧＣ回路においては、さらに内部レジスタを有し、内部レジスタの値により、上記スイッチＣ、およびスイッチＤの少なくとも一方の設定を変更できるようにしてもよい。これにより、スイッチ用に外部から制御信号を入力するための端子を用意する必要が無くなる。
【００４０】
本発明のさらに他のＡＧＣ回路は、前記の課題を解決するために、電流制御−可変利得型増幅器と、上記電流制御−可変利得型増幅器のゲインを制御するための制御信号を入力する外部端子と、上記外部端子に接続され、電圧値による制御信号を電流値による制御信号に変換するための電圧電流変換器と、上記外部端子に接続され、上記電圧電流変換器を迂回する迂回路と、上記外部端子から電圧電流変換器を通る第一経路、および上記外部端子から迂回路を通る第二経路を互いに切り換えるためのトリミング部位とを有することを特徴としている。
【００４１】
これにより、ＡＧＣ回路の製作時において、電圧値または電流値の制御信号を用いる回路方式を選択することができる。
【００４２】
本発明の高周波受信装置は、前記の課題を解決するために、上記の何れかに記載のＡＧＣ回路を備えることを特徴としている。
【００４３】
これにより、高周波受信装置においては、復調部の変更に伴う設計のし直しが不必要になる。
【発明の効果】
【００４４】
従来のＡＧＣ回路では、復調部の変更のために、大幅な回路修正が必要であったり、別の回路方式を複数個必要であったりしていた。
【００４５】
本発明のＡＧＣ回路を用いることにより、以上のように、復調部の変更を行っても、信号経路の変更、もしくは最低限の回路修正にとどめることが可能となる。よって、別の回路方式を複数個備えることや、新たに設計をし直すことや、ウェハを再投入することを回避できて、設計期間・コスト面において有利となる。
【発明を実施するための最良の形態】
【００４６】
本発明に係るＡＧＣ回路の実施の各形態について図１ないし図８に基づいて説明すると以下の通りである。
【００４７】
（実施の第一形態）
図１に本発明に係る実施の第一形態のＡＧＣ回路を含んだＲＦ部の構成例を示す。なお、前記従来の技術で述べた構成要素と同一の機能を有する構成要素については同一の符号を付し、その説明を省略する。
【００４８】
図１に示すように、本実施の形態のＲＦ部１ａは、従来例である図８の受信装置内のＲＦ部１に代えて、上記ＲＦ部１に加えて、電流電圧変換器３５、スイッチＡ３６、制御切り替え端子３７、および迂回路４４を備えるものである。また、本実施の形態での各可変利得型増幅器４、１４、１５は、電圧制御型である。上記迂回路４４は、電流電圧変換器３５を通さず迂回するための経路である。
【００４９】
上記ＲＦ部１ａにおいては、増幅器制御端子１６から与えられる増幅器制御信号が、電圧値の印加の場合と電流値の注入の場合とにより、制御切り替え端子３７から与えられる制御切り替え信号の値が決定されている。
【００５０】
制御切り替え信号は、電圧値の印加の場合、電流電圧変換器３５を迂回路４４によりパスして、印加される電圧値の制御信号にて各可変利得型増幅器４、１４、１５が直接制御されるように、スイッチＡ３６の経路（第二経路）を選択し、電流値による制御信号の注入の場合、電流電圧変換器３５を介して、変換された電圧値の制御信号にて各可変利得型増幅器４、１４、１５が制御されるように、スイッチＡ３６の経路（第一経路）が選択されている。
【００５１】
このような選択は、制御信号が、電圧値か電流値かを電子的に検出し、その検出結果に基づき実行してもよいし、また、回路設計者等の使用者が用いる回路に応じて手動により設定してもよい。
【００５２】
このように制御信号が、電圧値か電流値かを電子的に検出する回路としては、例えば図２に示すように、可変型の抵抗器５５を、増幅器制御端子１６に対し並列に（アースとの間に）接続し、上記抵抗器５５の端子電圧を検出する電圧検出器５７を設け、可変型の抵抗器５５の抵抗値を変えても、上記端子電圧の電圧値が変化しない場合は、電圧制御とみなし、可変型の抵抗器５５の抵抗値を変えて上記端子電圧の電圧値が変化する場合は、電流制御とみなし、スイッチ３６を切り替えてもよい。また、このような電子的な切り替えは、後述の実施の第二形態においても同様に適用可能である。
【００５３】
（実施の第二形態）
図３に本発明に係る実施の第二形態のＡＧＣ回路を含んだＲＦ部１ｂの構成例を示す。本実施の形態では、図３に示すように、図１の電流電圧変換器３５に代えて、電圧電流変換器３８が設けられ、スイッチＡ３６に代えて、スイッチＣ３９が置き換えにより設けられている。
【００５４】
また、本実施の形態での各可変利得型増幅器４、１４、１５は電流制御型である。この時、制御切り替え信号は、電流値による制御信号の注入の場合、電圧電流変換器３８を迂回路４４によりパスして、注入される電流値による制御信号にて各可変利得型増幅器４、１４、１５が直接制御されるように、スイッチＣ３９の経路を選択し、電圧値による制御信号の印加の場合、電圧電流変換器３８を介して、変換された電流値による制御信号にて可変利得型増幅器４、１４、１５が制御されるように、スイッチＣ３９の経路が選択されている。
【００５５】
（実施の第三形態）
図４に本発明の実施の第三形態に係るＡＧＣ回路の構成例を示す。図４に示すように、電圧制御−可変利得増幅器１４Ａと、電流電圧変換器３５、スイッチＡ３６、スイッチＢ４０とで構成されている。電圧制御−可変利得増幅器１４Ａの回路は、一般的な電圧制御型の可変利得増幅器であり、その詳細な説明は省略する。
【００５６】
スイッチＡ３６に入力される制御切り替え信号が、増幅器制御信号が電圧値の制御信号であることを示す信号、例えば「１」（ハイレベル）のとき、上記スイッチＡ３６によって増幅器制御信号を直接、電圧制御−可変利得増幅器１４Ａに入力する。一方、制御切り替え信号が、増幅器制御信号が電流値の制御信号であることを示す信号、例えば「０」（ローレベル）のときに、上記増幅器制御信号に基づき電流電圧変換器３５を介して変換された出力電圧値が、制御信号として電圧制御−可変利得増幅器１４Ａに入力される。
【００５７】
電流電圧変換器３５は、それに注入される電流値による制御信号を、内蔵の抵抗３５ａにて電圧値の制御信号に変換するものである。
【００５８】
また、電流電圧変換器３５の動作（つまり、電流の流れ）を未使用時に停止させて省電力化を図るため、スイッチＢ４０は、制御切り替え信号が「１」のときは、電流電圧変換器３５に対し電流が注入されないように、制御信号を遮断し、制御切り替え信号が「０」のときは、電流電圧変換器３５に電流が注入できるように、制御信号を通過させるように接続する。
【００５９】
（実施の第四形態）
図５に本発明の実施の第四形態に係るＡＧＣ回路の構成例を示す。電流制御−可変利得増幅器１４Ｂと、電圧電流変換器３８、スイッチＣ３９、スイッチＤ４１とで構成される。電流制御−可変利得増幅器１４Ｂの回路も、一般的な電流制御の可変利得増幅器であり、その詳細な説明は省略する。
【００６０】
スイッチＣ３９は、制御切り替え信号が「１」の時に、直接増幅制御信号が電流制御−可変利得増幅器１４Ｂに入力され、制御切り替え信号が「０」の時に、電圧電流変換器３８の出力が、電流制御−可変利得増幅器１４Ｂに入力される。電圧電流変換器３８は、トランジスタのベースに印加された電圧値により決まる、電流値の制御信号が流れる。また、電圧電流変換器３８を未使用時に停止させるため、スイッチＤ４１は、制御切り替え信号が「１」の時は、電圧電流変換器３８への電源Ｖｃｃを止めて、制御切り替え信号が「０」の時は、電圧電流変換器３８に対し電源Ｖｃｃが投入される。
【００６１】
（実施の第五形態）
図６に本発明の実施の第五形態に係るＡＧＣ回路を含んだＲＦ部１ｃの構成例を示す。図６のＲＦ部１ｃは、図１のＲＦ部１ａの制御切り替え端子３７に代えて、レジスタ４２を付加したものである。これにより、制御切り替え信号をレジスタ４２で設定でき、図１に示した制御切り替え端子３７が不要になる。
【００６２】
（実施の第六形態）
本発明に係るＡＧＣ回路の実施の第六形態も実施の第五形態と同様に、図３に示すＡＧＣ回路に対し、図３に示した制御切り替え端子３７に代えて、レジスタ４２を付加することで実現できる。
【００６３】
これにより、上記実施の第五および第六形態では、ＡＧＣ回路の製作時や、ＡＧＣ回路を例えば高周波受信装置に組み込んだ時において、電圧値または電流値の制御信号を用いる回路方式を選択することができる。
【００６４】
（実施の第七形態）
図７に本発明に係るＡＧＣ回路の実施の第七形態を含んだＲＦ部１ｄの構成例を示す。図７に示すように、ＲＦ部１ｄは、図１のスイッチＡの代わりに、流れる信号をトリミングできる箇所を備える。増幅器制御端子１６に対し、電圧値の制御信号が印加される場合、電流電圧変換器３５からの経路をトリミング部位５１にてカットし、電流値の制御信号が注入される場合、増幅器制御端子１６と可変利得型増幅器１４とを結ぶ迂回路４４をトリミング部位５３にてカットする。
【００６５】
（実施の第八形態）
本発明に係る実施の第八形態も実施の第七形態と同様に、図３のスイッチＣ３９の代わりに、トリミングできる各トリミング部位５１、５３を備えることで実現できる。
【００６６】
これにより、上記実施の第七および第八形態では、ＡＧＣ回路の製作時において、電圧値または電流値の制御信号を用いる回路方式を選択することができる。
【産業上の利用可能性】
【００６７】
本発明のＡＧＣ回路は、ゲインを制御するための、電圧値による制御信号、または電圧値による制御信号の何れにも、簡便に対応できるから、種々な規格の高周波受信装置といった通信機器に用いると、その通信機器の設計期間を短縮化でき、また通信機器の変更も回避できるから、コストも抑制できて、高周波受信装置といった通信機器の分野に好適に利用できる。
【図面の簡単な説明】
【００６８】
【図１】本発明に係るＡＧＣ回路における実施の第一形態を含むＲＦ部の回路ブロック図である。
【図２】上記実施の第一形態における、電流電圧変換器を切り替えるスイッチを電子的に制御する回路を示す回路ブロック図である。
【図３】本発明に係るＡＧＣ回路における実施の第二形態を含むＲＦ部の回路ブロック図である。
【図４】本発明に係るＡＧＣ回路における実施の第三形態の要部回路ブロック図である。
【図５】本発明に係るＡＧＣ回路における実施の第四形態の要部回路ブロック図である。
【図６】本発明に係るＡＧＣ回路における実施の第五形態を含むＲＦ部の回路ブロック図である。
【図７】本発明に係るＡＧＣ回路における実施の第七形態を含むＲＦ部の回路ブロック図である。
【図８】一般的な受信装置の回路図である。
【符号の説明】
【００６９】
１                   ＲＦ部
２                   復調部
３                   ＲＦ入力端子
４，１４，１５              可変利得型増幅器
５，６               ミキサ回路
７                   ９０°移相器
８                   電圧制御型局部発振器（ＶＣＯ）
９                   ＰＬＬ回路
１０                 局部発振器
１１                 ＶＣＯ制御端子
１２，１３           ローパスフィルタ（ＬＰＦ）
１６                 増幅器制御端子
１７，１８           アナログ−デジタル変換器(ＡＤＣ)
１９                 電圧制御型局部発振器（ＶＣＯ）
２０                 ＶＣＯ制御端子
２１                 レベル検出器
２２，３０，３３     ループフィルタ
２３，３４           デジタル−アナログ変換器(ＤＡＣ)
２４                 複素演算器
２５，２６           ＦＩＲフィルタ
２７                 I出力端子
２８                 Ｑ出力端子
２９                 位相・周波数検出器
３１                 数値制御発振器(ＮＣＯ)
３２                 タイミング検出器
３５                 電流電圧変換器
３６                 スイッチＡ
３７                 制御切り替え端子
３８                 電圧電流変換器
３９                 スイッチＣ
４０                 スイッチＢ
４１                 スイッチＤ
４２                 レジスタ
４４                 迂回路
【図１】
2006060389.tif 000003
【図２】
2006060389.tif 000004
【図３】
2006060389.tif 000005
【図４】
2006060389.tif 000006
【図５】
2006060389.tif 000007
【図６】
2006060389.tif 000008
【図７】
2006060389.tif 000009
【図８】
2006060389.tif 000010